(57)【特許請求の範囲】
【請求項１】
アルミニウム合金，マグネシウム合金等の金属をダイカスト成形してなる機構板と、該機構板に固着することによって球通路が形成されるプラスチック製の樋部材とからなり、該樋部材の通路壁は部分的に切除され、機構板に一体に形成された起立壁が該切除部に位置し、該球通路を流落するパチンコ球を該起立壁に衝突させるようにしたことを特徴とするパチンコ遊技機の球排出通路。
【請求項２】
通路壁の側縁が係合する係合溝を機構板に形成した請求項１に記載のパチンコ遊技機の球排出通路。
【発明の詳細な説明】
【０００１】
【発明の属する技術分野】
本発明は、パチンコ遊技機の機構板に樋部材を固着することによって形成されるパチンコ球払出通路等の球排出通路の構成に関するものである。
【０００２】
【従来の技術】
周知のようにパチンコ遊技機は、遊技盤が装着された前面枠の裏面に機構板が開閉可能にヒンジされ、該機構板に球タンク，球整列樋，カーブレール，払出装置，払出通路等の景品球払出機構、および電子制御回路基板等を装着してなる。
【０００３】
そして、払出装置から払い出されたパチンコ球を払出口に導くための排出通路は、従来では専らプラスチック製の機構板に形成されたものであった。即ち、従来の球排出通路は機構板に起立壁を一体成形することで横断面コ字状の排出通路を形成し、これにプラスチック板状のカバーを被せて構成したものであった。
【０００４】
【発明が解決しようとする課題】
ところで、払出装置から払い出されたパチンコ球は球排出通路中を落下するので、従来のプラスチック製の排出通路ではその起立壁の底部に相当する部分にパチンコ球が衝突しその衝撃によって変形、或いは破損を起こすおそれがあった。
また、従来から機構板はプラスチック製の大型成形品であったが、構造が複雑で細部にわたり高い成形精度を要求されることから、機構板が大型化することで成形不良が生じ易いという問題があった。
【０００５】
そこで本発明は、球排出通路の上記欠点を解消し、その機械的強度，耐久性を向上させるとともに、機構板が可及的に大型化しないようにし、成形精度が得られ易くすることで、その成形を容易にしようとするものである。
【０００６】
【課題を解決するための手段】
そのために本発明に係るパチンコ遊技機の球排出通路は、アルミニウム合金，マグネシウム合金等の金属をダイカスト成形してなる機構板と、該機構板に固着することによって球通路が形成されるプラスチック製の樋部材とからなり、該樋部材の通路壁は部分的に切除され、機構板に一体に形成された起立壁が該切除部に位置し、該球通路を流落するパチンコ球を該起立壁に衝突させるようにしたことを特徴とする。
このように、機構板に一体に形成された起立壁に排出通路を落下するパチンコ球を衝突させることにより、充分な機械的強度，耐久性が得られる。
また本発明は、通路壁の側縁が係合する係合溝を上記機構板に形成したことを特徴とする。
これにより、機構板と樋部材との固着の確実性が増す。
【０００７】
【発明の実施の形態】
次に、図面に従い本発明の実施の形態を説明する。図１は本発明に係るパチンコ遊技機の機構板１を斜視図にて示す。また図２は、該機構板１と、これに組み付けられる球タンク２と、整列樋３と、カーブレール４と、景品球払出装置５ａ，貸球払出装置５ｂ，樋部材６等の排出機構７、および電子制御回路基板８，配電基板９との分解斜視図を示し、該各機器は該機構板１に図４に示したように固着される。この機構板１は、アルミニウム合金，マグネシウム合金等の金属をダイカスト成形してなるもので、略中央に窓孔１１を形成し周縁部に折曲縁１２を形成することでいわゆる額縁状に形成されている。１３は該機構板１の一側縁に一体に形成された支持軸、１４は他側縁に一体に形成された固着片で、該支持軸１３を図４に示したように前面板１０の裏面に設けられた軸受１５に挿通するとともに、固着片１４にクランプ等の留具１６を着脱自在に固着することにより、該機構板１を前面板１０の裏側に開閉可能に支持し得る。１７は同様の留具１８を固着させるために設けられた凹部である。なお、前面板１０の裏面に設けられる機構板は、図１に示したように１部材からなるが、適宜部分で分離される２部材以上から構成されたものとしてもよい。
【０００８】
２０は該機構板１の上部にタンク枠体２を収納するために形成された凹窪部、７１は該凹窪部の下縁の略半部に上面が前傾状なるように形成された球寄せ用の傾斜部、７２は該凹窪部のさらに下方の下縁部に一体に突設された側方傾斜面状の球受片である。なお、球受片７２の下面には一体に補強リブが形成されている。また、７３，７４は該凹窪部の外端部に形成された係合部と止孔である。
【０００９】
タンク枠体２は、プラスチック製であって、図５〜図７に示したように、平面長方形枠状でその両端壁外面に取付片７５，７６が突設され、底面７７は流出口７８に向けて下傾状に形成されているとともに、該底面７７の一部に前記球受片７２が合致し得る切欠７９が形成されている。さらに該タンク枠体２はその機構板側の側壁８０の一部が欠損した形態であって、該側壁欠損部分８１に前記傾斜部７１が合致し得る。
【００１０】
そして該タンク枠体２は、取付片７５を係合部７３に係合し、取付片７６を止孔７４にビス止めすることで凹窪部２０中に収納状に装着され、球受片７２が球タンクの底面を構成するようにするとともに、傾斜部７１が該タンク枠体２の側壁欠損部分から該タンク枠体内に突出するように構成している。
【００１１】
この球タンクでは、機構板１に突設された球受片７２がその底面の一部を構成するので、該球タンク中に貯留されるパチンコ球の重量が該球受片７２にも分担され球荷重の一部が直接機構板１に負荷することから、該タンク枠体２の底面７７へ掛かる荷重が軽減され、タンク枠体２がプラスチック製であってもその変形を防止できる。また、球受片７２を該球タンク中に上方から落下補給されるパチンコ球がちょうど当たる位置に設けることによりその衝撃を緩和することができ、底面７７の摩耗，変形を防止できる。
【００１２】
８３はタンク枠体２の流出口の下側に位置するように機構板１に突設された傾斜面状の球受片で、該球受片８３の上面には、図８に拡大して示したように、パチンコ球の流下方向に沿ってパチンコ球のほぼ１個分の間隔にて僅かな段差８４が形成されている。
【００１３】
また、図９〜図１１にも示したように、８５〜８８は前記球受片８３の傾斜下方に適宜間隔を置いて機構板１に突設された傾斜面状の球受片である。整列樋枠３は、プラスチック製であって、内側が仕切２３によって３列に仕切られているとともに、底面９１に前記各球受片８５〜８８が露呈し得る切欠９２〜９５が開設され、該整列樋枠３を機構板１に形成されたビス孔９６，ボス９７にビス２２を夫々螺合し機構板１に取り付けることにより球整列樋が構成される。そして底面９１と各球受片８５〜８８との境に段差９９を形成させている。また、該各球受片８５〜８８の上面および底面９１にもパチンコ球のほぼ１個分の間隔にて僅かな段差１００が形成されている。なお、１０１は機構板１に突設されたボス１０２に揺動自在に吊下された球均しである。
【００１４】
２７は機構板１より突設された内面が円弧面状の球受片で、該球受片の外周面には補強リブ２７ａが一体に形成されている。２７ｂ，２７ｃは同じく機構板１より突設された内面円弧面状の球受片である。また、２５は球受片２７の曲率中心に突設されたボス、２５ａは球受片２７ｂの曲率中心に突設されたボスである。図１２〜図１４に示したように、カーブレールケース４は底壁部材１３２と仕切壁部材１３３，１３４と表壁部材１３５とからなるプラスチック製のものであって、該各壁部材をビス２６，２６ａによってボス２５，２５ａに固着することにより前記整列樋３の各列と夫々連通する略Ｓ字状の球案内樋１３８，１３９，１４０が形成される。
【００１５】
前記球受片２７は球案内樋１３８，１３９，１４０の第１の曲角部１４１の外壁面をなすように組み付けられる。また前記球受片２７ｂは球案内樋１３８，１３９の第２の曲角部１４２の外壁面となり、前記球受片２７ｃは球案内樋１３８，１３９の第３の曲角部１４３の外壁面となるように組み付けられる。
【００１６】
なお、２８は球抜装置で、該球抜装置は第１の曲角部１４１の直下に可動底板１４５を枢軸１４６および係止片１４７により支持し、該可動底板１４５の下側に球抜通路１５９を形成するとともに、係止片１４７に係合する感知板１４８を設け、パチンコ遊技機前面から通孔を通して挿入されるピン（図示せず）により該感知板を押圧することにより係止片１４７と可動底板１４５との係合が外されると該可動底板が球重量によって傾倒し該球案内樋１３８，１３９，１４０中のパチンコ球が球抜通路１４８に流落されるように構成している。また、１５０はこの球抜装置の下流に設けられた球検知機構で、該球検知機構は各球案内樋１３８，１３９，１４０に夫々球圧力によって傾倒し得るように可動片１５１，１５２，１５３を枢軸１５４によって枢支するとともに、該可動片の傾倒を検知するスイッチ１５５，１５６，１５７を設けてなる。なおこれらの球抜装置および球検知機構の構成は従来どおりである。そして球案内樋１３８，１３９は景品球払出装置５ａに連通し、球案内樋１４０は球通路２９を介して貸球払出装置５ｂに連通する。
【００１７】
払出機構７は、景品球払出装置５ａと貸球払出装置５ｂ、および払出通路カバー６からなり、機構板１に形成されたボス６０，ビス孔６１にビス６２によって取り付けられる。
【００１８】
排出機構７は、機構板１に固着されるプラスチック製の樋部材６と、該樋部材上にビス３１により固着された景品球払出装置５ａ、および、ビス３２により固着された貸球払出装置５ｂとからなる。なお、カーブレール４から排出されたパチンコ球は景品球払出装置５ａに供給されるとともに、バイパス樋２９を介して貸球払出装置５ｂ供給される。そして景品球払出装置５ａはカーブレール４を介して供給されたパチンコ球を景品球払出信号を受けることによって所定数流下させ、貸球払出装置５ｂは同パチンコ球を貸球払出信号を受けることにより所定数流下させる。
【００１９】
図３および図１４〜図１６に示したように、樋部材６の機構板１との対向面には、前記球抜機構２８を操作することによって流落するパチンコ球を直下方に誘導する抜球用の球通路３３と、景品球払出装置５ａおよび貸球払出装置５ｂから払い出されたパチンコ球を機構板１に開設された払出口３４の傾斜シュート３５上に導くための球通路３６と、該傾斜シュート３５から溢れたパチンコ球を下皿に導くための球通路３７が形成される。
【００２０】
そして、球通路３３の底部に相当する該樋部材６の通路壁に部分的に切除された切除部３３’が形成され、また、球通路３７の底部に相当する該樋部材６の通路壁にも部分的に切除された切除部３７’が形成される。また該球通路３７の水平方向延長端部にも切除部３８が形成される。
【００２１】
一方、機構板１には、上記切除部３３’に位置するべき円弧状の起立壁４０と、切除部３７’に位置するべき円弧状の起立壁４１と、切除部３８に位置するべき垂直な起立壁４２が夫々一体に形成される。なお、４３，４４，４５は機構板１に形成された係合溝で、該樋部材６を該機構板１に形成されたビス孔４６にビス４７によって固着したとき該各球通路３３，３６，３７を構成する通路壁の開口縁が夫々図５〜図８に示したように該係合溝に係合することで各球通路が隙間無く樋部材６が堅固に固着できるようにしている。
【００２２】
なお、電子制御回路基板８は機構板１の下部に形成されたビス孔６７にビス６８により固着され、配電基板９は機構板１の上部に形成されたビス孔６９にビス７０により固着される。
【００２３】
このように構成した球排出通路では、抜球用の球通路３３を流落したパチンコ球は機構板１に形成された起立壁４０に衝突し流出方向が変換され回収される。また景品球払出装置５ａおよび貸球払出装置５ｂから払い出され球通路３６を流落したパチンコ球は機構板１に形成された傾斜シュート３５上に落下し払出口３４より上皿に排出される。また、傾斜シュート３５から溢れ球通路３７を流落したパチンコ球は起立壁４１に衝突し流出方向が変換され回収され下皿に払い出される。なおこの際パチンコ球は起立壁４２にも衝突する。このようにこの球排出通路では、球通路を流落したパチンコ球が機構板１に一体に形成された起立壁に衝突することからプラスチック製の樋部材６に衝撃が直接掛かることなくその変形，摩耗が防止される。
【００２４】
また、機構板１はアルミニウム合金，マグネシウム合金等の金属をダイキャスト成形してなるものであるので、パチンコ球が繰り返し衝突しても変形，摩耗することなくプラスチック製に比べて著しく強度を向上させる。パチンコ球が激しく衝突するであろう球通路部分のみを部分的に機構板に形成するものであるので、機構板１を大型化したり成形を複雑化することがない。また、機構板１が金属製であり導電性が良好であるので、球通路を流落したパチンコ球から静電気が該機構板に逃がされ、帯電によって電子制御回路基板８等に誤作動を起こさせるおそれもない。
このような理由から機構板はアルミニウム合金，マグネシウム合金等の金属で成形することが望ましいが、導電性プラスチック，帯電防止プラスチックで成形したり、板金等をプレス加工してもよいし、アルミニウム合金，マグネシウム合金等の金属をダイキャスト成形以外のチクソーモールディング法により成形してもよい。
【００２５】
【発明の効果】
このように本発明に係るパチンコ遊技機の球払出通路は、アルミニウム合金，マグネシウム合金等の金属をダイカスト成形してなる機構板と、該機構板に固着することによって球通路が形成されるプラスチック製の樋部材とからなり、該樋部材の通路壁は部分的に切除され、機構板に一体に形成された起立壁が該切除部に位置し、該球通路を流落するパチンコ球を該起立壁に衝突させるようにしたので、その変形，摩耗等が防止され充分な機械的強度，耐久性が得られるとともに、機構板の大型化が避けられ成形を容易にするなど種々の利点がある。
【図面の簡単な説明】
【図１】本発明の実施形態を示す機構板の斜視図。
【図２】本発明の実施形態を示す機構板の分解斜視図。
【図３】本発明の実施形態を示す払出機構の裏側の斜視図。
【図４】本発明の実施形態を示すパチンコ遊技機の裏面図。
【図５】本発明の実施形態を示す球タンクの斜視図。
【図６】図５の球タンクの平面図。
【図７】図６のＡ−Ａ線断面図。
【図８】本発明の実施形態を示す球整列樋の縦断面図。
【図９】図８の球整列樋の平面図
【図１０】図８のＢ−Ｂ線断面図。
【図１１】図４のＣ−Ｃ線断面図。
【図１２】本発明の実施形態を示すカーブレールの縦断面図。
【図１３】図１２のＤ−Ｄ線断面図。
【図１４】図１２のＥ−Ｅ線断面図。
【図１５】図１４のＦ−Ｆ線断面図。
【図１６】図１４のＧ−Ｇ線断面図。
【図１７】図１４のＨ−Ｈ線断面図。
【図１８】図１４のＩ−Ｉ線断面図。
【符号の説明】
１                機構板
５ａ              景品球払出装置
５ｂ              貸球払出装置
６                樋部材
７                排出機構
３３，３６，３７  球通路
３４              払出口
３５              傾斜シュート
３３’，３７’，３８  切除部
４０，４１，４２  起立壁
４３，４４，４５  係合溝
【図１】
0004597342.tif 000002
【図２】
0004597342.tif 000003
【図３】
0004597342.tif 000004
【図４】
0004597342.tif 000005
【図５】
0004597342.tif 000006
【図６】
0004597342.tif 000007
【図７】
0004597342.tif 000008
【図８】
0004597342.tif 000009
【図９】
0004597342.tif 000010
【図１０】
0004597342.tif 000011
【図１１】
0004597342.tif 000012
【図１２】
0004597342.tif 000013
【図１３】
0004597342.tif 000014
【図１４】
0004597342.tif 000015
【図１５】
0004597342.tif 000016
【図１６】
0004597342.tif 000017
【図１７】
0004597342.tif 000018
【図１８】
0004597342.tif 000019